(57)【要約】【課題】  面倒な調整が不要であり、また、装置全体の構成が簡素であり、しかも、特に緑内障の早期発見に寄与し得るようなより信頼性の高い検査を実現する。【解決手段】  マトリクス型の発光ダイオードユニット１２から発せられた光は、液晶シャッタ１６および主光学系１４を介して、被検眼に入射される。ここで、発光ダイオードユニット１２は、マトリクス状に配置された互いに同一仕様の複数の発光ダイオード素子１２ｂ，１２ｂ，…を有している。これら各発光ダイオード素子１２ｂ，１２ｂ，…は、互いに独立して制御され、これにより、円形状の視標１００ａとそれ以外の背景１００ｂとから成る検査用の映像が形成される。視標１００ａは、１Ｈｚ〜２００Ｈｚの周波数で概略正弦波状に点滅する。これにより、緑内障の早期発見に寄与し得るような信頼性の高い検査が実現される。また、装置全体の構成が簡素であり、面倒な調整が不要である。
2017195347.tif 000002
【特許請求の範囲】
【請求項１】
明滅する視標を含む検査用の映像を被検眼に呈示すると共に該被検眼による該視標の視認状況に基づいて該被検眼の検査を行う眼科検査装置において、
上記映像を形成するように２次元状に配置された互いに同一仕様の複数の発光素子を有しており該複数の発光素子の明るさが互いに並行して個別に被制御可能な発光手段と、
上記複数の発光素子の明るさを互いに並行して個別に制御する発光制御手段と、
を具備し、
上記発光制御手段は、上記複数の発光素子の一部が明滅することによって上記映像のうちの上記視標が形成され、併せて、該複数の発光素子の該一部以外の明るさが一定となることによって該映像のうちの該視標以外の領域である背景が形成されるように、制御を行うこと、
を特徴とする、眼科検査装置。
【請求項２】
上記発光手段は、上記複数の発光素子として複数の発光ダイオード素子を有する２次元発光ダイオードユニットである、
請求項１に記載の眼科検査装置。
【請求項３】
上記複数の発光素子に対応するように２次元状に配置された複数の光弁画素を有しており該複数の発光素子によって形成された上記映像が該複数の光弁画素を介して上記被検眼に呈示されるように設けられ該映像の呈示のために該複数の発光素子から発せられる光の該複数の光弁画素を介しての該被検眼への伝達率が個別に被制御可能な光弁手段と、
上記複数の光弁画素を介しての上記伝達率を個別に制御する光弁制御手段と、
をさらに具備する、
請求項１に記載の眼科検査装置。
【請求項４】
上記光弁手段は、液晶を利用した上記複数の光弁画素を有する液晶シャッタである、
請求項３に記載の眼科検査装置。
【請求項５】
上記発光制御手段は、上記複数の発光素子の上記一部である視標形成素子の明るさが緩やかに変化するように、制御を行う、
請求項１に記載の眼科検査装置。
【請求項６】
上記発光制御手段は、上記複数の発光素子の上記一部以外である背景形成素子の明るさが該複数の発光素子の上記一部である視標形成素子の最も明るいときの明るさと略同等となるように、制御を行う、
請求項１に記載の眼科検査装置。
【請求項７】
上記被検眼の視野を測定するための視野計である、
請求項１に記載の眼科検査装置。
【発明の詳細な説明】
【技術分野】
【０００１】
本発明は、眼科検査装置に関し、特に、明滅する視標を含む検査用の映像を被検眼に呈示すると共にこの被検眼による視標の視認状況に基づいて当該被検眼の検査を行う、眼科検査装置に関する。
【背景技術】
【０００２】
この種の眼科検査装置として、従来、例えば特許文献１に開示されたものがある。この従来技術によれば、被検眼に呈示される検査用の映像のうち視標を形成するための視標光を生成する視標光生成手段と、当該映像のうち視標以外の領域である背景を形成するための背景光を生成する背景光生成手段と、これら視標光および背景光を合成して被検眼に投射する合成手段と、が具備されている。なお、視標光および背景光のそれぞれは、無偏光の光である。そして、合成手段は、この無偏光の状態を維持したまま、視標光および背景光を合成する。【０００３】
具体的には、視標呈示用の光源と、この光源から発せられた無偏光の光を平行光に補正する視標呈示用のコリメータレンズと、このコリメータレンズによって平行光に補正された光が入射される入射面を有する視標呈示用の液晶シャッタと、が設けられている。視標呈示用の液晶シャッタは、その入射面に、液晶コントローラから与えられる視標呈示用のシャッタ制御信号に従うシャッタパターンを形成し、詳しくは当該入射面のうちの一部の領域のみを透過領域とし、それ以外の領域を遮断領域とする。これとは別に、背景呈示用の光源と、この光源から発せられた無偏光の光を平行光に補正する背景呈示用のコリメータレンズと、このコリメータレンズによって平行光に補正された光が入射される入射面を有する背景呈示用の液晶シャッタと、が設けられている。背景呈示用の液晶シャッタは、液晶コントローラから与えられる背景呈示用のシャッタ制御信号に従って、その入射面に、視標呈示用の液晶シャッタのものとは全く正反対のシャッタパターンを形成する。その上で、各液晶シャッタ（透過領域）を透過した光が合成手段としての例えばハーフプリズムによって合成されて、その合成光が被検眼に投射される。ここで、背景呈示用の光源は、一定の明るさで発光する。一方、視標呈示用の光源は、背景呈示用の光源と同じ明るさで発光する第１の状態と、非発光の第２の状態と、に交互に遷移し、つまり点滅する。この結果、被検眼には、その視野の全体にわたって一様な明るさの映像と、一部の領域のみが暗く言わば抜け落ちたような映像と、が交互に呈示される。言い換えれば、当該一部の領域に対応すると共に点滅する視標と、この視標以外の領域であって当該視標が最も明るいときと同じ一定の明るさの背景と、から成る映像が、被検眼に呈示される。【０００４】
即ち、視標は、背景と同じ明るさか、それよりも低い（暗い）明るさで、つまり背景以下の明るさで、被検眼に呈示される。従って、この視標が呈示されることによる被検眼への入射光量の増大が抑制され、ひいては当該被検眼（網膜）への刺激が抑制される。このことは特に、視野検査等の自覚的検査（被検者の自覚に基づく検査）において、その信頼性の向上を図る上で極めて有効である。例えば、視野検査においては、被検者（被検眼）の視野の様々な位置に視標が呈示される。被検者は、一定の（一般には被検眼の正面に呈示される）固視点を注視した状態で、この視標を実際に視認し得たときに、応答ボタンを操作する等の所定の意思表示をする。ここで例えば、被検者の視野の一部が欠損しており、この欠損部分に視標が呈示される、とする。このときもし、背景が真っ暗であり、この真っ暗な背景に明るい視標が重なって呈示されるような構成である、つまり視標の明るさが背景の明るさよりも高い（明るい）構成である、とすると、被検者は、この視標を実際に視認し得ていないにも拘らず、背景よりも高い明るさの視標が呈示されることによる刺激を受けて、あたかも当該視標を実際に視認し得ているものと勘違いする、言わば誤認識する、虞がある。この誤認識は、言うまでもなく検査の信頼性の低下を招く。これに対して、従来技術によれば、視標が背景以下の明るさで被検眼に呈示されるので、この視標が呈示されることによる被検眼への刺激が抑制され、ひいては誤認識が防止される。これにより、信頼性の高い検査が実現される。【０００５】
加えて、被検眼に投射される合成光は、自然光と同じ無偏光の光である。従って例えば、被検眼に呈示される合成光が偏光光である場合に比べて、信頼性の高い検査が実現される。即ち、被検眼に呈示される合成光が偏光光である場合には、この合成光の被検眼に対する入射角度によって、当該被検眼による検査用の映像（特に視標）の見え方が変わる。従来技術によれば、このような偏光の影響がない。このこともまた、信頼性の高い検査の実現に大きく貢献する。【０００６】
さらに、従来技術によれば、上述の如く視標呈示用の光源が点滅することによって、視標が点滅するが、より詳細には、視標呈示用の光源が正弦波状（ｓｉｎカーブ的）に言わば緩やかに点滅することによって、視標もまた正弦波状に緩やかに点滅する。このように視標が緩やかに点滅することによって、つまり当該視標の明るさが緩やかに変化することによって、例えば視標が単に矩形波状（言わばＯＮ／ＯＦＦ的）に点滅する場合に比べて、つまり当該視標の明るさが急激に変化する場合に比べて、視標が呈示されることによる被検眼への刺激がさらに抑制される。この結果、より信頼性の高い検査の実現が期待され、特に緑内障の早期発見に大きく寄与することが期待される。なお、視標の点滅周波数は、被検者の個人差等の様々な状況に適宜に対応し得るように、例えば１Ｈｚ〜１２０Ｈｚの範囲で任意に制御可能とされている。【０００７】
ところで上述したように、この従来技術では、被検眼に呈示される検査用の映像は、視標とそれ以外の領域である背景とから成る。そして、これら視標と背景とは、視標光生成手段と背景光生成手段という互いに別個の手段によって形成される。このため、視標光生成手段と背景光生成手段との相互の位置関係が適切であることが必要とされるが、その調整が極めて面倒である。具体的には、視標呈示用の光源から視標呈示用のコリメータレンズおよび視標呈示用の液晶シャッタを介して合成手段としてのハーフプリズムに至るまでの言わば視標光の経路（光路）と、背景呈示用の光源から背景呈示用のコリメータレンズおよび背景呈示用の液晶シャッタを介して当該ハーフプリズムに至るまでの言わば背景光の経路と、の相互の位置関係が適切であることが必要とされるが、特に各液晶シャッタの相互の位置関係の調整が極めて面倒である。また、視標光の経路と背景光の経路との互いの光学的特性等の不均衡に起因して、視標と背景とに互いの明るさや色等の差異が生じることがあり、これを是正するための調整も極めて面倒である。加えて、装置全体の構成として、視標光生成手段と背景光生成手段との他にハーフプリズム等の合成手段も必要であることから、当該装置全体の構成のさらなる簡素化を実現したい、という希望もある。【０００８】
そこで、別の従来技術として、例えば特許文献２に開示されたものがある。この特許文献２に開示された言わば第２の従来技術によれば、１つの光源手段と、この光源手段から発せられた光が入射される入射面を有するライトバルブ手段と、このライトバルブ手段を制御するライトバルブ制御手段と、が具備されている。ライトバルブ手段は、例えば液晶シャッタであり、その入射面に入射された光を変調して被検眼に投射することで、視標を含む検査用の映像を被検眼に呈示する。ライトバルブ制御手段は、ライトバルブ手段の入射面の一部に入射された光によって検査用の映像のうちの視標が形成され、併せて、ライトバルブ手段の入射面の当該一部以外の部分に入射された光によって検査用の映像のうちの視標以外の領域である背景が形成されるように、ライトバルブ手段を制御する。【０００９】
より具体的には、光源手段は、例えば白色発光ダイオードであり、一定の明るさで発光する。この光源手段としての白色発光ダイオードから発せられた光は、コリメータレンズによって平行光に補正された後、ライトバルブ手段としての液晶シャッタの入射面に入射される。液晶シャッタは、その入射面に、ライトバルブ制御手段としての液晶コントローラから与えられるシャッタ制御信号に従うシャッタパターンを形成し、詳しくは当該入射面全体が透過状態となる第１パターンと、当該入射面の一部の領域のみが遮断状態となる第２パターンとを、交互に形成する。言い換えれば、液晶シャッタの入射面の当該一部の領域については、透過状態と遮断状態とに交互に遷移し、液晶シャッタの入射面のそれ以外の領域については、透過状態を維持する。この液晶シャッタの入射面を透過した光は、拡大光学系を介して、被検眼に投射される。この結果、液晶シャッタの入射面の当該一部の領域に対応すると共に点滅する視標と、液晶シャッタの入射面のそれ以外の領域に対応すると共に視標が最も明るいときと同じ一定の明るさの背景と、から成る映像が、被検眼に呈示される。【００１０】
即ち、この第２従来技術においても、上述の特許文献１に開示された言わば第１の従来技術におけるのと同様の検査用の映像が、被検眼に呈示される。ただし、第１従来技術においては、この検査用の映像の呈示のために、視標光生成手段と背景光生成手段と合成手段とが用いられ、特に視標の形成を担う視標光生成手段と背景の形成を担う背景光生成手段との互いに別個の手段が用いられるが、第２従来技術によれば、当該映像の呈示のために、１つの光源手段とライトバルブ手段とライトバルブ制御手段とが用いられ、つまり視標と背景とに共通の手段が用いられる。従って、第１従来技術では、視標光生成手段と背景光生成手段との相互の位置関係の調整が必要であるが、第２従来技術によれば、そのような調整は不要である。また、第１従来技術では、視標光の経路と背景光の経路との互いの光学的特性等の不均衡に起因して、視標と背景とに互いの明るさや色等の差異が生じることがあるが、第２従来技術によれば、そのような差異は生じず、ゆえに、これを是正するための調整も不要である。加えて、第２従来技術によれば、第１従来技術におけるような合成手段が不要であることを含め、装置全体の構成のさらなる簡素化が図られる。【００１１】
なお、第２従来技術においても、第１従来技術と同様、視標が正弦波状（概略正弦曲線的）に点滅する。そのために、第２従来技術においては、液晶シャッタの入射面に形成されるシャッタパターンが上述の第１パターンと第２パターンとに交互に遷移する際の態様が正弦波状とされ、つまり液晶シャッタの入射面のうちの視標に対応する領域の透過率が正弦波状に緩やかに変化する。この視標の点滅周期は、例えば５ｍｓ〜１ｓの範囲で任意に制御可能とされている。言い換えれば、当該視標の点滅周波数は、１Ｈｚ〜２００Ｈｚの範囲で任意に制御可能とされている。【００１２】
ところで、この第２従来技術におけるライトバルブ手段としての液晶シャッタは、例えばその入射面の水平方向の画素数（解像度）が１９２０であり、垂直方向の画素数が１０８０である、いわゆるＦＨＤ（Full High Definition）と呼ばれる仕様の画面解像度を有するものであり、より詳しくは（特許文献２には明記されていないが）液晶プロジェクタ用の透過型のモノクローム液晶パネルを利用したものである。ここで周知のように、液晶プロジェクタ用のものを含む表示装置用の液晶パネルにおいては、その画面の書き換え速度、いわゆるリフレッシュレート、が決まっている。このリフレッシュレートは、一般に６０Ｈｚ前後であり、最高でも２４０Ｈｚ程度である。従って例えば、この第２従来技術における液晶シャッタとして、リフレッシュレートが２４０Ｈｚである液晶パネルが採用される、とすると、当該液晶シャッタの入射面に形成されるシャッタパターンの更新周波数は、２４０Ｈｚとなる。これは即ち、視標が例えば単に矩形波状に点滅する場合には、当該視標の点滅周波数が最高で１２０Ｈｚ（＝２４０Ｈｚ／２）となることを、意味する。そうすると、視標が例えば上述の如く正弦波状に緩やかに点滅する場合には、当該視標の点滅周波数の上限はこの１２０Ｈｚという周波数よりも遥かに低くなる。これでは、緑内障の早期発見に寄与し得るようなより信頼性の高い検査の実現は不可能である。
【先行技術文献】
【特許文献】
【００１３】
【特許文献１】国際公開第２００９／００１４５８号
【特許文献２】国際公開第２０１４／１６７６８８号
【発明の概要】
【発明が解決しようとする課題】
【００１４】
このように、第１従来技術では、緑内障の早期発見に寄与し得るようなより信頼性の高い検査を実現することはできるものの、極めて面倒な調整が必要であり、また、装置全体の構成が複雑である、という問題がある。そして、第２従来技術では、第１従来技術における問題を解決することはできるものの、緑内障の早期発見に寄与し得るようなより信頼性の高い検査を実現することができない、という問題がある。【００１５】
これらのことを鑑みて、本発明は、面倒な調整が不要であり、また、装置全体の構成が簡素であり、しかも、緑内障の早期発見に寄与し得るようなより信頼性の高い検査を実現できる、新規な眼科検査装置を提供することを、目的とする。
【課題を解決するための手段】
【００１６】
この目的を達成するために、本発明は、明滅する視標を含む検査用の映像を被検眼に呈示すると共にこの被検眼による視標の視認状況に基づいて当該被検眼の検査を行う眼科検査装置において、発光手段と、発光制御手段と、を具備する。このうちの発光手段は、複数の発光素子を有している。これら複数の発光素子は、互いに同一仕様のものであり、被検眼に呈示される映像を形成するように２次元状に配置されている。また、これら複数の発光素子の明るさは、互いに並行して個別に被制御可能とされている。一方、発光制御手段は、発光手段が有する複数の発光素子の明るさを、互いに並行して個別に制御する。具体的には、発光制御手段は、複数の発光素子のうちの一部が明滅することによって検査用の映像のうちの視標が形成され、併せて、当該複数の発光素子のうちのそれ以外の明るさが一定となることによって検査用の映像のうちの視標以外の領域である背景が形成されるように、制御を行う。【００１７】
即ち、本発明によれば、被検眼に呈示される検査用の映像は、視標と当該視標以外の領域である背景とから成る。この視標と背景とから成る検査用の映像は、発光手段が有する２次元状に配置された複数の発光素子によって形成される。具体的には、これら複数の発光素子の一部が明滅することによって視標が形成され、当該複数の発光素子の当該一部以外の明るさが一定となることによって背景が形成される。言い換えれば、予め２次元状に配置された複数の発光素子の一部によって視標が形成され、当該複数の発光素子のそれ以外によって背景が形成される。従って例えば、上述の第１従来技術においては、視標と背景とが互いに別個の手段によって形成されるがゆえに、これら互いに別個の手段の相互の位置関係の調整が必要とされるが、本発明によれば、そのような調整は全く不要である。また、本発明における複数の発光素子は、互いに同一仕様のものであり、つまり（基本的には）互いに同一の性状を有する。従って例えば、第１従来技術では、視標光の経路と背景光の経路との互いの光学的特性等の不均衡に起因して、視標と背景とに互いの明るさや色等の差異が生じることがあるが、本発明によれば、そのような差異は生じず、ゆえに、これを是正するための調整も不要である。加えて、本発明によれば、例えば第１従来技術におけるような合成手段が不要であることを含め、装置全体の構成のさらなる簡素化が図られる。要するに、本発明によれば、第１従来技術における問題を解決することができる。この点は、上述の第２従来技術と同様である。【００１８】
ただし上述したように、第２従来技術では、視標を緩やかに点滅させる場合の当該視標の点滅周波数（の上限）が極めて低いために、特に緑内障の早期発見に寄与し得るようなより信頼性の高い検査を実現することができない、という問題がある。この第２従来技術における問題を解決するべく、本発明によれば、複数の発光素子の明るさが、互いに並行して個別に、言わば互いに独立して、被制御可能とされている。言い換えれば、これら複数の発光素子を有する発光手段は、そのような態様とされている。そして、発光制御手段は、これら複数の発光素子の明るさを、互いに並行して個別に、つまり互いに独立して、制御する。これは即ち、複数の発光素子の明るさが、個々に自在に変化し得ること、例えば個々に比較的に高速で変化し得ること、を意味する。従って、本発明によれば、視標を緩やかに点滅させる場合であっても、当該視標を比較的に高い周波数で、とりわけ第２従来技術における視標の点滅周波数よりも高い周波数で、点滅させることができる。これにより、緑内障の早期発見に寄与し得るようなより信頼性の高い検査を実現することができ、つまりは第２従来技術における問題を解決することができる。なお、本発明によれば、視標を点滅させること（つまり視標を点灯させたり消灯させたりすること）に限らず、より広い意味で、当該視標を明滅させること（つまり視標を明るくしたり暗くしたりすること）もできる。【００１９】
このような本発明における発光手段は、例えば複数の発光素子として複数の発光ダイオード素子を有する２次元発光ダイオードユニット、とりわけ当該複数の発光ダイオード素子がマトリクス状に配置されたいわゆるマトリクス型発光ダイオードユニット、であってもよい。この場合、複数の発光ダイオード素子は、それぞれの明るさが上述の如く互いに並行して個別に被制御可能とされるために、例えば個別の被制御端子を備えるものであってもよく、詳しくは個別の陽極端子と個別の陰極端子とを備えるものであってもよく、つまりはそのような態様のものであってもよい。そして、発光制御手段は、例えばこれら複数の発光ダイオード素子それぞれの被制御端子に接続される複数の制御端子を備えるものであってもよく、つまりはそのような態様のものであってもよい。ただし、この構成では、発光ダイオード素子の数が多いほど、当該発光ダイオード素子が備える被制御端子の数が多くなり、これに伴い、発光制御手段が備える制御端子の数もまた多くなり、その結果、これらの端子を含む装置全体の構成が複雑になる。【００２０】
この装置全体の構成の複雑化を抑制するべく、例えば、複数の発光ダイオード素子は、２以上の適当な数のブロックに分割されてもよい。そして、それぞれのブロックごとに、当該ブロックに属する各発光ダイオード素子は、マトリクス状に配置されているものとし、つまり複数の行と複数の列とを形成するように配置されているものとする。その上で、それぞれのブロックごとに、互いに同じ行に属する各発光ダイオード素子の例えば各陽極端子（または各陰極端子）は、互いに共通の行側被接続端子によって一纏めに接続され、併せて、互いに同じ列に属する各発光ダイオード素子の各陰極端子（または各陽極端子）は、互いに共通の列側被接続端子によって一纏めに接続されるものとする。一方、発光制御手段は、それぞれの行側被制御端子に接続される複数の行側制御端子と、それぞれの列側被制御端子に接続される複数の列側制御端子と、を備え、それぞれのブロックごとに、各発光ダイオード素子を公知のダイナミック方式で制御するものとする。この構成によれば、各発光ダイオード素子と発光制御手段とを相互に接続する端子の数が削減され、これらの端子を含む装置全体の構成の簡素化が図られる。ただし、この構成では、それぞれのブロックごとに、各発光ダイオード素子がダイナミック方式で制御されることから、２以上の（特に全ての）発光ダイオード素子を同時に点灯させることができない場合があり、この場合は、当該２以上の発光ダイオード素子があたかも同時に点灯しているように見せ掛けるための適宜の設計が成される。また、それぞれのブロックごとの発光ダイオード素子の数が過多であると、当該発光ダイオード素子の明るさが不足することがある。このような不都合が生じないように、それぞれのブロックごとの発光ダイオード素子の数、換言すれば当該ブロックの数は、適宜に定められる。【００２１】
本発明においては、光弁手段と、光弁制御手段と、がさらに具備されてもよい。このうちの光弁手段は、複数の光弁画素を有している。そして、これら複数の光弁画素は、発光手段が有する複数の発光素子に対応するように２次元状に配置される。さらに、光弁手段は、複数の発光素子によって形成された検査用の映像がこれら複数の光弁画素を介して被検眼に呈示されるように、設けられる。その上で、この検査用の映像の呈示のために複数の発光素子から発せられる光の複数の光弁画素を介しての被検眼への伝達率は、個別に被制御可能とされている。一方、光弁制御手段は、これら複数の光弁画素を介しての光の伝達率を個別に制御する。【００２２】
この構成によれば、複数の発光素子によって形成された検査用の映像は、複数の光弁画素を介して、被検眼に呈示される。具体的には、複数の発光素子から発せられた光が複数の光弁画素を介して被検眼に伝達されることで、当該被検眼に検査用の映像が呈示される。ここで、複数の光弁手段を介しての光の伝達率は、個別に被制御可能とされている。そして、この伝達率の制御は、光弁制御手段が担う。この伝達率の制御によって、被検眼に呈示される検査用の映像の明るさが複数の光弁画素のそれぞれに対応する箇所ごとに調整可能となり、例えば視標の明るさと背景の明るさとの個別の微調整が可能となる。即ち、視標の明るさと背景の明るさとは、複数の発光素子それぞれの発光強度（輝度）、つまりは当該複数の発光素子それぞれの明るさ、によって個別に制御することができるが、これとは別個に、複数の光弁画素を介しての光の伝達率によっても個別に微調整することができる。このこともまた、より信頼性の高い検査の実現に大きく貢献する。【００２３】
さらに、ここで言う光弁手段は、例えば液晶を利用した液晶シャッタであってもよく、より詳しくは表示装置用の透過型のモノクローム液晶パネルであってもよい。即ち、ここで言う光弁手段は、上述の如く例えば視標の明るさと背景の明るさとを個別に微調整する機能を発揮する。このような用途であれば、光弁手段として、その動作に特段な高速性は求められず、ゆえに、リフレッシュレートに起因して動作速度が制限される表示装置用の液晶パネルであっても十分に適用することができる。また、表示装置用の液晶パネルは、相当数（数百万個以上）の光弁画素を有しているので、ここで言う光弁手段としての用途に好適である。【００２４】
加えて、発光制御手段は、複数の発光素子のうち視標の形成を担う言わば視標形成素子の明るさが、つまり視標の明るさが、緩やかに変化するように、制御を行うものであってもよい。このような制御が行われることによって、例えば視標の明るさが急激に変化する場合に比べて、当該視標が呈示されることによる被検眼への刺激が抑制される。この結果、より信頼性の高い検査の実現が期待され、特に緑内障の早期発見に寄与し得ることが期待される。【００２５】
また、発光制御手段は、複数の発光素子のうち背景の形成を担う言わば背景形成素子の明るさが、つまり背景の明るさが、視標の最も明るいときの明るさと略同等になるように、制御を行うものであってもよい。このような制御が行われることによって、視標は、背景と略同等の明るさか、それよりも低い明るさとなり、つまり背景以下の明るさとなる。これにより例えば、視標が背景よりも明るい場合に比べて、当該視標が呈示されることによる被検眼への刺激が抑制される。このことは特に、視野検査等の自覚的検査において、その信頼性の向上を図るのに極めて有効である。【００２６】
そして、本発明は、被検眼の視野を測定するための視野計に好適である。
【図面の簡単な説明】
【００２７】
【図１】本発明の一実施形態に係る視野計の概略構成を示す図解図である。
【図２】同実施形態におけるマトリクス型発光ダイオードユニットの概略構成を示す図解図である。
【図３】同実施形態における液晶シャッタの概略構成を示す図解図である。
【図４】同実施形態におけるマトリクス型発光ダイオードユニットと液晶シャッタとの相互の位置関係を示す図解図である。
【図５】同マトリクス型発光ダイオードユニットによって形成される視標の態様を示す図解図である。
【図６】同視標を形成する発光ダイオード素子の被制御態様を示す図解図である。
【図７】同実施形態における検査用の映像の一例を示す図解図である。
【図８】同検査用の映像の被検眼による見え方の一例を示す図解図である。
【図９】同検査用の映像の明るさを概念的に示す図解図である。
【図１０】図８に係る映像の不都合を解消するための手順を示す図解図である。
【図１１】図１０に続く手順を示す図解図である。
【図１２】図１１に係る手順を経た後の映像の明るさを概念的に示す図解図である。
【図１３】同実施形態におけるマトリクス型発光ダイオードユニットの別の例を示す図解図である。
【図１４】同マトリクス型発光ダイオードユニットのさらに別の例を液晶パネルとの相互の位置関係と併せて示す図解図である。
【図１５】同実施形態の別の例を示す図解図である。
【発明を実施するための最良の形態】
【００２８】
本発明の一実施形態について、視野計を例に挙げて説明する。【００２９】
図１に示すように、本実施形態に係る視野計１０は、発光手段としてのマトリクス型発光ダイオードユニット（以下、「ＬＥＤユニット」と言う。）１２を具備している。このＬＥＤユニット１２は、図２に示すように、概略四角形状の発光面１２ａを有しており、この発光面１２ａは、マトリクス状に配置された互いに同一仕様（規格）の複数の発光素子としての複数の発光ダイオード素子（以下、「ＬＥＤ素子」という。）１２ｂ，１２ｂ，…によって形成されている。なお、ＬＥＤユニット１２（発光面１２ａ）の水平方向におけるＬＥＤ素子１２ｂの配置個数Ｈは、例えばＨ＝１９２０である。そして、ＬＥＤユニット１２の垂直方向におけるＬＥＤ素子１２ｂの配置個数Ｖは、例えばＶ＝１０８０である。また、それぞれのＬＥＤ素子１２ｂは、特にその発光部は、例えばこれを正面（図２の紙面の表面側）から見たときの形状が円形状のものであるが、当該発光部の形状が概略楕円形状のものや概略四角形状のものであってもよい。【００３０】
図１に戻って、ＬＥＤユニット１２は、その発光面１２ａを後述する主光学系１４に向けた状態で、当該主光学系１４の光軸１４ａ上に配置されている。より具体的には、ＬＥＤユニット１２は、主光学系１４の光軸１４ａが当該ＬＥＤユニット１２の発光面１２ａと直交し、かつ、当該光軸１４ａが発光面１２ａの中心を通るように、配置されている。そして、主光学系１４の光軸１４ａ上であって、ＬＥＤユニット１２と当該主光学系１４との間に、光弁手段としての液晶シャッタ１４が配置されている。【００３１】
液晶シャッタ１６は、例えば液晶プロジェクタ用の透過型のモノクローム液晶パネルを利用したものであり、上述したＦＨＤ仕様の画面解像度を有するものである。即ち、液晶シャッタ１６は、図３に示すように、概略四角形状の画面、詳しくは入射面から液晶等の各層を介して出射面に至る言わば光弁面１６ａ、を有しており、この光弁面１６ａは、マトリクス状に配置された複数の概略四角形状の光弁画素（以下、単に「画素」と言う。）１６ｂ，１６ｂ，…に区画されている。この液晶シャッタ１６（光弁面１６ａ）の水平方向における画素１６ｂの数Ｈ’は、Ｈ’＝１９２０であり、つまりＬＥＤユニット１２の同方向におけるＬＥＤ素子１２ｂの配置個数Ｈと同じ（Ｈ’＝Ｈ）である。そして、当該液晶シャッタ１６の垂直方向における画素数Ｖ’は、Ｖ’＝１０８０であり、つまりＬＥＤユニット１２の同方向におけるＬＥＤ素子１２ｂの配置個数Ｖと同じ（Ｖ’＝Ｖ）である。なお、この液晶シャッタ１６のリフレッシュレートは、例えば６０Ｈｚである。【００３２】
改めて図１に戻って、液晶シャッタ１６は、主光学系１４の光軸１４が当該液晶シャッタ１６の光弁面１６ａと直交し、かつ、当該光軸１４ａが光弁面１６ａの中心を通るように、上述の如くＬＥＤユニット１２と主光学系１４との間に、配置されている。なお、ＬＥＤユニット１２と液晶シャッタ１６とは、互いに比較的に近接して配置されており、例えば当該ＬＥＤユニット１２の発光面１２ａと液晶シャッタ１６の光弁面１６ａとが主光学系１４の被写界深度内に入るように配置されている。また、これらＬＥＤユニット１２と液晶シャッタ１６とは、図４に示すように、当該ＬＥＤユニット１２の各ＬＥＤ素子１２ｂ，１２ｂ，…と液晶シャッタ１６の各画素１６ｂ，１６ｂ，…とが互いに１対１で対応するように配置されている。なお、図４は、液晶シャッタ１６を介してＬＥＤユニット１２を見た図である。【００３３】
再び図１に戻って、ＬＥＤユニット１２は、それ専用の駆動手段としてのＬＥＤ駆動回路１８に接続されている。ここで詳しい図示は省略するが、ＬＥＤユニット１２の各ＬＥＤ素子１２ｂ，１２ｂ，…は、個別の被制御端子を備えており、つまり個別の陽極端子と個別の陰極端子とを備えている。なお、各ＬＥＤ素子１２ｂ，１２ｂ，…の各陽極端子と当該各ＬＥＤ素子１２ｂ，１２ｂ，…の各陰極端子とのいずれかは、互いに共通の端子によって一纏めに接続されていてもよく、つまり互いに共通化されていてもよい。そして、これら各ＬＥＤ素子１２ｂ，１２ｂ，…の各被制御端子は、ＬＥＤ駆動回路１８と個別に接続されている。言い換えれば、ＬＥＤ駆動回路１８は、各ＬＥＤ素子１２ｂ，１２ｂ，…の各被制御端子と個別に接続される複数の制御端子を備えている。そして、ＬＥＤ駆動回路１８は、制御手段としての制御回路２０から与えられるＬＥＤ制御信号Ｓａに従って、各ＬＥＤ素子１２ｂ，１２ｂ，…を個別に駆動するためのＬＥＤ駆動信号Ｓａ’を生成する。このＬＥＤ駆動信号Ｓａ’は、各ＬＥＤ素子１２ｂ，１２ｂ，…に対して個別に、詳しくは互いに並行して個別に、与えられる。これにより、各ＬＥＤ素子１２ｂ，１２ｂ，…は、互いに並行して個別に動作し、つまり互いに独立して動作する。【００３４】
一方、液晶シャッタ１６は、それ専用の駆動手段としての液晶駆動回路２２に接続されている。液晶駆動回路２２は、制御回路２０から与えられる液晶制御信号Ｓｂに従って、液晶シャッタ１６を駆動するための液晶駆動信号Ｓｂ’を生成する。この液晶駆動信号Ｓｂ’は、液晶シャッタ１６に与えられる。これにより、液晶シャッタ１６が動作し、詳しくは当該液晶シャッタ１６の各画素１６ｂ，１６ｂ，…それぞれの透過率が個別に制御される。なお、この各画素１６ｂ，１６ｂ，…それぞれの透過率は、上述した６０Ｈｚというリフレッシュレートに従う周波数で更新される。【００３５】
そして、主光学系１４は、その被写界深度内にあるＬＥＤユニット１２の発光面１２ａと液晶シャッタ１６の光弁面１６ａとを含む仮想的な平面、つまりは次に説明する検査用の映像１００を形成する言わば映像形成面と、図示しない被検者の被検眼（網膜）とが、互いに共役になるように、これら両者間に、配置されている。また、この主光学系１４は、その焦点を調整するための図示しない焦点調整用レンズを備えている。【００３６】
検査用の映像１００は、上述の映像形成面によって形成され、主にＬＥＤユニット１２の各ＬＥＤ素子１２ｂ，１２ｂ，…によって形成される。具体的には、図５に示すように、各ＬＥＤ素子１２ｂ，１２ｂ，…の一部によって、概略円形状の視標１００ａが形成され、当該各ＬＥＤ素子１２ｂ，１２ｂ，…のそれ以外によって、視標１００ａ以外の領域である後述する背景１００ｂが形成される。なお、視標１００ａのサイズは、公知のゴールドマン視野計のものに準ずる。また、図５においては、視標１００ａの周縁を示す２点鎖線上にあるそれぞれのＬＥＤ素子１２ｂについては、その半分以上が当該２点鎖線内にある場合に、視標１００ａを形成するものとされ、そうでない場合には、背景１００ｂを形成するものとされている。この２点鎖線上にあるそれぞれのＬＥＤ素子１２ｂの取り扱いについては、これに限らず、視標１００ａのサイズを含む諸状況に応じて、適宜に定められる。【００３７】
視標１００ａを形成するそれぞれのＬＥＤ素子１２ｂは、上述したＬＥＤ駆動信号Ｓａ’に従って、例えば図６に示すように、その明るさ（発光強度）が概略正弦波状に変化するように動作し、言わば緩やかに明滅する。なお、図６においては、ＬＥＤ素子１２ｂの明るさの最低値はゼロであり、ゆえに厳密に言えば、当該ＬＥＤ素子１２ｂは点滅する。このＬＥＤ素子１２ｂの点滅周期Ｔ、換言すれば当該点滅周期Ｔの逆数（１／Ｔ）である点滅周波数ｆは、例えば１Ｈｚ〜２００Ｈｚの範囲で任意に設定可能とされている。このような比較的に高い周波数ｆでＬＥＤ素子１２ｂが概略正弦波状に点滅し得るのは、当該ＬＥＤ素子１２ｂが上述の如く独立して動作可能とされていること、つまりはそのような態様とされていること、による。また、このＬＥＤ素子１２ｂの明るさの最高値と最低値とについても、所定の範囲内で任意に設定可能とされている。【００３８】
一方、背景１００ｂを形成するそれぞれのＬＥＤ素子１２ｂについては、視標１００ａを形成するそれぞれのＬＥＤ素子１２ｂの明るさの最高値と同等の一定の明るさで点灯する。つまりはそうなるように、背景１００ｂを形成するそれぞれのＬＥＤ素子１２ｂに上述のＬＥＤ駆動信号Ｓａ’が個別に与えられ、そのためのＬＥＤ制御信号Ｓａが生成される。【００３９】
なお、液晶シャッタ１６については、その光弁面１６ａの全ての画素１６ｂ，１６ｂ，…の透過率が最高となるように、言わば当該全ての画素１６ｂ，１６ｂ，…が開口状態となるように、動作する。つまりはそうなるように、液晶シャッタ１６に上述の液晶駆動信号Ｓｂ’が与えられ、そのための液晶制御信号Ｓｂが生成される。【００４０】
この構成によれば、ＬＥＤユニット１２の各ＬＥＤ素子１２ｂ，１２ｂ，…から発せられた光は、液晶シャッタ１６の各画素１６ｂ，１６ｂ，…と主光学系１４とを介して、被検眼に入射される。因みに、各ＬＥＤ素子１２ｂ，１２ｂ，…の発光光は、例えば概略白色の無偏光の光である。この結果、被検眼には、図７に示すような検査用の映像１００が呈示される。この検査用の映像１００は、視標１００ａと当該視標１００ａ以外の背景１００ｂとから成る。そして、視標１００ａについては、正弦波状に緩やかに点滅し、背景１００ｂについては、当該視標１００ａが最も明るいときと同じ一定の明るさを維持する。なお、図７（ａ）は、視標１００ａが最も明るいときの状態を示し、図７（ｂ）は、視標１００ａが最も暗いときの状態を示し、図７（ｃ）は、図７（ａ）の状態と図７（ｂ）の状態との一方から他方に遷移する途中の或る時点の状態を示す。また、視標１００ａの点滅周波数ｆは、１Ｈｚ〜２００Ｈｚの範囲で任意に設定可能とされている。【００４１】
このように本実施形態によれば、視標１００ａと背景１００ｂとから成る検査用の映像１００が被検眼に呈示される。そして、視標１００ａについては、正弦波状に緩やかに点滅し、その点滅周波数ｆは、１Ｈｚ〜２００Ｈｚの範囲で任意に設定可能とされている。この点は、上述した第１従来技術と概ね（視標１００ａの点滅周波数ｆの上限を除いて）同様である。従って、本実施形態によれば、第１従来技術と同様、特に緑内障の早期発見に寄与し得るようなより信頼性の高い検査を実現することができる。その上で、第１従来技術では、視標と背景とが互いに別個の手段によって形成されるがゆえに、これら互いに別個の手段の相互の位置関係の調整が必要とされるが、本実施形態によれば、予めマトリクス状に配置された複数のＬＥＤ素子１２ｂ，１２ｂ，…の一部によって視標１００ａが形成され、当該複数のＬＥＤ素子１２ｂ，１２ｂ，…のそれ以外によって背景１００ｂが形成されるので、当該第１従来技術におけるような調整は全く不要である。また、第１従来技術では、視標光の経路と背景光の経路との互いの光学的特性等の不均衡に起因して、視標と背景とに互いの明るさや色等の差異が生じることがあるが、本実施形態によれば、視標１００ａと背景１００ｂとの形成を担う複数のＬＥＤ素子１２ｂ，１２ｂ，…は、互いに同一仕様のものであり、つまり互いに同一の性状を有するので、当該第１従来技術におけるような差異は生じず、ゆえに、これを是正するための調整も不要である。加えて、本実施形態によれば、第１従来技術におけるような合成手段が不要であることを含め、視野計１０全体の構成のさらなる簡素化が図られる。なお上述したように、第２従来技術によれば、第１従来技術におけるような調整が不要であり、また、当該第１従来技術よりも装置全体の構成のさらなる簡素化が図られるが、緑内障の早期発見に寄与し得るようなより信頼性の高い検査を実現することができない、という問題がある。これに対して、本実施形態によれば、上述の如く緑内障の早期発見に寄与し得るようなより信頼性の高い検査を実現することができる。【００４２】
即ち、本実施形態によれば、面倒な調整が不要であり、また、視野計１０全体の構成のさらなる簡素化が図られ、しかも、緑内障の早期発見に寄与し得るようなより信頼性の高い検査を実現することができる。言い換えれば、第１従来技術および第２従来技術それぞれの問題を解決しつつ、当該第１従来技術および第２従来技術それぞれの利点を奏することができる。【００４３】
ところで、本実施形態においては、視標１００ａの点滅周波数ｆや被検眼の応答性等によっては、当該被検眼にとって、例えば図８に示すように、視標１００ａが点滅しているのではなく、当該視標１００ａが背景１００ｂよりも少し暗い一定の明るさで呈示されるように見受けられることがある。この現象を別の観点で図示すると、例えば図９のようになる。即ち、図９（ａ）に示す如く視標１００ａが背景１００ｂと同等のＡという最高の明るさで呈示されている状態と、図９（ｂ）に示す如く視標１００ａが背景１００ｂよりも遥かに暗いゼロという最低の明るさで呈示されている状態とが、被検眼に交互に現れることによって、当該被検眼にとって、図９（ｃ）に示す如く視標１００ａが背景１００ｂよりも少し暗いＢ（＜Ａ）という一定の明るさで呈示されているように見受けられることがある。なお、図９（ａ）は、図７（ａ）に示した状態に対応し、図９（ｂ）は、図７（ｂ）に示した状態に対応する。そして、図９（ｃ）は、図８に示した状態に対応する。このような現象が生じると、検査の信頼性（精度）に支障を来たす虞がある。【００４４】
この不都合を解消するべく、本実施形態においては、図１０に示すように、被検眼によって見受けられる映像１００上で、背景１００ｂの明るさが視標１００ａの明るさと同等になるように、当該背景１００ｂの明るさが抑制される。この背景１００の明るさの抑制は、上述の液晶シャッタ１６によって行われる。即ち、液晶シャッタ１６の各画素１６ｂ，１６ｂ，…のうちの背景１００ｂに対応するものの透過率が適当に下げられ、それ以外の（視標１００ａに対応する）ものは開放状態を維持する。つまりはそうなるように、上述の液晶制御信号Ｓｂが生成され、これに応じた液晶駆動信号Ｓｂ’が液晶シャッタ１６に与えられる。これにより、図８に示したような不都合な現象は生じず、検査の信頼性が保たれる。【００４５】
ただし、図１０に示した状態では、視標１００ａと背景１００ｂとを含む映像１００全体の明るさが低下し、つまりＡという本来の明るさからＢという明るさに低下し、これもまた、不都合である。この一種の副次的な不都合を解消するべく、本実施形態においてはさらに、図１１に示すように、視標１００ａと背景１００ｂとを含む映像１００全体の明るさが増大され、言わば底上げされる。この映像１００全体の明るさの底上げは、ＬＥＤユニット１２によって行われる。即ち、ＬＥＤユニット１２の全てのＬＥＤ素子１２ａ，１２ａ，…の明るさが、Ａという本来の明るさとＢという低下した明るさとの差分相当分Δ（＝Ａ−Ｂ）だけ底上げされる。つまりはそうなるように、上述のＬＥＤ制御信号Ｓａが生成され、これに応じたＬＥＤ駆動信号Ｓａ’が各ＬＥＤ素子１２ａ，１２ａ，…に個別に与えられる。これにより、検査用の映像１００全体の明るさが本来のＡという明るさに補償され、本来の検査の信頼性が保たれる。【００４６】
なお、図１１に示した如く映像１００全体の明るさが補償された場合には、例えば図１２（ａ）に示すように、視標１００ａが最高の明るさで呈示されているときに、当該視標１００ａの明るさが背景１００ｂの明るさよりも高くなり、単純にはＡという本来の明るさに上述の底上げ分Δが足し合わされたＣ（＝Ａ＋Δ）という明るさになる。そして、図１２（ｂ）に示すように、視標１００ａが最低の明るさで呈示されているときにも、当該視標１００ａの明るさが本来のゼロという明るさよりも高くなり、単純には底上げ分Δに相当するＤ（＝Δ）という明るさになる。従って、このことによる何らかの不都合が懸念される。しかしながら、図１２（ａ）における視標１００ａの明るさＣと、図１２（ｂ）における当該視標１００ａの明るさＤとには、相当の差があり、また、ここで言う底上げ分Δは、映像１００全体の明るさに比べて、特に背景１００ｂの明るさに比べて、相当に小さいことから、そのような懸念はない。【００４７】
本実施形態は、本発明の１つの具体例であり、本発明の範囲を限定するものではない。【００４８】
例えば、ＬＥＤユニット１６に注目すると、上述したように、ＬＥＤユニット１６の各ＬＥＤ素子１６ｂ，１６ｂ，…は、個別の被制御端子を備えており、つまり当該ＬＥＤ素子１６ｂ，１６ｂ，…の総数（＝１９２０×１０８０）に応じた膨大な数の被制御端子を備えている。このようなＬＥＤユニット１６は、例えば集積回路の積層技術を応用することで実現することはできるが、たとえそうであるとしても、当該被制御端子の数は膨大である。そして、ＬＥＤ駆動回路１８についても、各ＬＥＤ素子１６ｂ，１６ｂ，…の各被制御端子と個別に接続される複数の制御端子を備えており、つまり当該被制御端子と同数の制御端子を備えている。このため、これら各ＬＥＤ素子１６ｂ，１６ｂ，…の各被制御端子とＬＥＤ駆動回路１８の各制御端子とを含む視野計１０全体の構成が極めて複雑になる。この不都合を抑制するべく、次のような構成が採用されてもよい。【００４９】
即ち、図１３に示すように、各ＬＥＤ素子１６ｂ，１６ｂ，…が複数のブロック１６ｃ，１６ｃ，…に分割されてもよい。好ましくは、それぞれのブロック１６ｃごとに、当該ブロック１６ｃに属する各ＬＥＤ素子１６ｂ，１６ｂ，…がマトリクスを成すように、つまり複数の行と複数の列とを形成するように、分割されてもよい。なお、図１３（ａ）は、ＬＥＤユニット１６の垂直方向においてｍ（ｍ：２以上の整数）分割され、当該ＬＥＤユニット１６の水平方向においてｎ（ｎ：２以上の整数）分割された状態を示す。その上で、図１３（ｂ）に示すように、それぞれのブロック１６ｃごとに、互いに同じ行に属する各ＬＥＤ素子１６ｂ，１６ｂ，…の例えば各陽極端子は、互いに共通の行側被接続端子１６ｄによって一纏めに接続され、併せて、互いに同じ列に属する各ＬＥＤ素子１６ｂ，１６ｂ，…の各陰極端子は、互いに共通の列側被接続端子１６ｅによって一纏めに接続されるものとする。因みに、互いに同じ行に属する各ＬＥＤ素子１６ｂ，１６ｂ，…の各陰極端子が、互いに共通の行側被接続端子１６ｄによって一纏めに接続され、併せて、互いに同じ列に属する各ＬＥＤ素子１６ｂ，１６ｂ，…の各陽極端子が、互いに共通の列側被接続端子１６ｅによって一纏めに接続されてもよい。これに対して、ＬＥＤ駆動回路１８は、詳しい図示は省略するが、各行側被接続端子１６ｄ，１６ｄ，…に個別に接続される複数の行側制御端子と、各列側被接続端子１６ｅ，１６ｅ，…に個別に接続される複数の列側接続端子と、を備えるものとする。そして、ＬＥＤ駆動回路１８は、それぞれのブロック１６ｃごとに、各ＬＥＤ素子１６ｂ，１６ｂ，…を公知のダイナミック方式で制御するものとする。この構成によれば、各ＬＥＤ素子１６ｂ，１６ｂ，…とＬＥＤ駆動回路１８とを接続する端子の数が削減され、これらの端子を含む視野計１０全体の構成の簡素化が図られる。【００５０】
ただし、この構成では、それぞれのブロック１６ｃごとに、各ＬＥＤ素子１６ｂ，１６ｂ，…が上述の如くダイナミック方式で制御されることから、２以上の（特に全ての）ＬＥＤ素子１６ｂ，１６ｂ，…を同時に点灯させることができない場合があり、この場合は、当該２以上のＬＥＤ素子１６ｂ，１６ｂ，…があたかも同時に点灯しているように見せ掛けるための適宜の設計が成される。また、それぞれのブロック１６ｃごとのＬＥＤ素子１６ｂの数が過多であると、当該ＬＥＤ素子１６ｂの明るさが不足することがある。これらのことを考慮して、それぞれのブロック１６ｃごとのＬＥＤ素子１６ｂの数、換言すれば当該ブロック１６ｃの数（ｍ×ｎ）は、適宜に定められる。【００５１】
また、ＬＥＤユニット１２のＬＥＤ素子１２ｂの数と、液晶シャッタ１６の画素１６ｂの数とは、互いに同一であり、併せて、図４に示したように、ＬＥＤユニット１２の各ＬＥＤ素子１２ｂ，１２ｂ，…と、液晶シャッタ１６の各画素１６ｂ，１６ｂ，…とは、互いに１対１で対応付けられるものとされたが、これに限らない。例えば、ＬＥＤユニット１２のそれぞれのＬＥＤ素子１２ｂのサイズと、液晶シャッタ１６のそれぞれの画素１６ｂのサイズと、を比較すると、一般には、前者の方が後者よりも大きい。そこで、図１４に示すように、１個のＬＥＤ素子１２ｂに対して複数個の画素１６ｂ，１６ｂ，…が対応付けられてもよい。即ち、ＬＥＤユニット１２のＬＥＤ素子１２ｂの数が、液晶シャッタ１６の画素１６ｂの数よりも少ないものとされてもよい。なお、図１４（ａ）は、１個のＬＥＤ素子１２ｂに対して４（２×２）個の画素１６ｂ，１６ｂ，…が対応付けられている状態を示し、図１４（ｂ）は、１個のＬＥＤ素子１２ｂに対して１６（４×４）個の画素１６ｂ，１６ｂ，…が対応付けられている状態を示し、図１４（ｃ）は、１個のＬＥＤ素子１２ｂに対して６４（８×８）個の画素１６ｂ，１６ｂ，…が対応付けられている状態を示す。勿論、これとは反対に、液晶シャッタ１６の画素１６ｂの数の方が、ＬＥＤユニット１２のＬＥＤ素子１２ｂの数よりも多くてもよい。【００５２】
さらに、液晶シャッタ１６については、例えばその光弁面（画面）１６ａのサイズ（対角寸法）が１インチ前後の比較的に小さいものが採用される場合がある。この場合は大抵、ＬＥＤユニット１２の発光面１２ａのサイズの方が、液晶シャッタ１６の光弁面１６ａのサイズよりも大きくなる。そこで例えば、図１５に示すように、ＬＥＤユニット１２と液晶シャッタ１６との間に、当該ＬＥＤユニット１２の発光面１２ａから発せられた光を液晶シャッタ１６の光弁面１６ａのサイズに整合させるための適宜の整合手段３０が設けられてもよい。なお、図１５は、整合手段１６として、収束レンズ群３２と発散レンズ群３４とから成る無焦点系のコンバージョンレンズが設けられた例を示す。【００５３】
また、液晶シャッタ１６として、例えばその光弁面１６ａのサイズが１０インチ以上の比較的に大きいものが採用され、併せて、ＬＥＤユニット１２として、その発光面１２ａのサイズが当該液晶シャッタ１６の光弁面１６ａのサイズと同等のものが採用されてもよい。そして、これらＬＥＤユニット１２と液晶シャッタ１２とは、互いに比較的に近接して設けられ、極端には互いに密着されてもよい。この構成によれば、上述した主光学系１４が設けられなくとも、当該ＬＥＤユニット１２と液晶シャッタ１２と（による上述の映像形成面）を直接的に見ることによる視野の検査が実現される。即ち、装置全体の構成から主光学系１４が排除され、当該装置全体の構成のさらなる簡素化が実現される。【００５４】
本実施形態においては、発光手段として、複数のＬＥＤ素子１２ｂ，１２ｂ，…がマトリクス状に配置されたマトリクス型のＬＥＤユニット１２が採用されたが、これに限らない。例えば、各ＬＥＤ素子１２ｂ，１２ｂ，…が概略ハニカム状に配置されたものが採用されてもよい。また、各ＬＥＤ素子１２ｂ，１２ｂ，…は、白色のものに限らず、カラーのものであってもよい。さらに、ＥＬ（Electroluminescence）ディスプレイ、とりわけ有機ＥＬディスプレイや、それ以外のものが、発光手段として採用されてもよい。【００５５】
そして、視標１００ａについては、概略円形状とされたが、これに限らない。例えば、三角形状や四角形状等の多角形状であってもよいし、棒状や環状等であってもよく、つまり適宜の形状とされてもよい。また、複数の視標１００ａ，１００ａ，…が同時に呈示されてもよい。さらに、視標１００ａは、概略正弦波状に明滅（点滅）するものとしたが、これに限らず、概略鋸歯状や概略三角形状等の当該概略正弦波状以外の態様で明滅するものとしてもよい。【００５６】
加えて、背景１００ｂについては、（図１２に示した場合を除いて）視標１００ａが最も明るいときと同等の一定の明るさとされたが、これに限らない。例えば、背景１００ｂの形成を担う各ＬＥＤ素子１２ｂ，１２ｂ，…が常に消灯状態とされることで、当該背景１００ｂが真っ暗な状態で呈示され、つまり当該背景１００ｂが視標１００ａ以下の明るさで呈示されてもよい。ただし、本実施形態で説明したように、背景１００ｂについては、視標１００ａが最も明るいときと同等の一定の明るさとされることで、当該視標１００ａが呈示されることによる被検眼への刺激の抑制が図られ、ひいては信頼性の高い検査の実現が図られる。【００５７】
さらに、光弁手段としての液晶シャッタ１６については、上述の如く背景１００ｂの明るさを抑制する機能、換言すれば当該背景１００ｂの明るさを微調整する機能、を発揮する。そして、この液晶シャッタ１６は、背景１００ｂの明るさのみ成らず、視標１００ａの明るさをも微調整することができる。即ち、液晶シャッタ１６は、視標１００ａの明るさと背景１００ｂの明るさとを個別に微調整する機能を発揮する。ここで、視標１００ａの明るさと背景１００ｂの明るさとは、これらの形成を担うＬＥＤユニット１２の各ＬＥＤ素子１２ｂ，１２ｂ，…それぞれの発光強度によって制御できることを鑑みると、これとは別個に、液晶シャッタ１６によっても個別に微調整できることは、より信頼性の高い検査の実現に大きく貢献する。【００５８】
また、液晶シャッタ１６は、視標１００ａと背景１００ｂとを含む検査用の映像１００の画質の向上にも、大きく貢献する。例えば、ＬＥＤユニット１２の各ＬＥＤ素子１２ｂ，１２ｂ，…の性状等の相違によって、検査用の映像１００の明るさに斑が生じた場合、この液晶シャッタ１６によって、当該斑を解消することができる。つまりはそうなるように、液晶シャッタ１６の各画素１６ｂ，１６ｂ，…の透過率が個別に制御されることで、検査用の映像１００の画質の向上が図られる。このような用途であれば、リフレッシュレートに起因して動作速度が制限される液晶シャッタ１６であっても、本発明における光弁手段として十分に適用することができる。【００５９】
加えて、光源手段としては、透過型の液晶シャッタ１６に限らず、例えば反射型の液晶シャッタが採用されてもよい。この場合、ＬＥＤユニット１２から発せられた光は、当該反射型の液晶シャッタによって反射される。そして、この反射型の液晶シャッタによる反射光が、主光学系１４を介して被検眼に呈示される。また、多数の微小ミラーが２次元状に配置されたマイクロミラーデバイスという電子光学部品が知られているが、このマイクロミラーデバイスが、光弁手段として採用されてもよい。この場合も、ＬＥＤユニット１２から発せられた光は、当該マイクロミラーデバイスによって反射され、この反射光が、主光学系１４を介して被検眼に呈示される。【００６０】
なお、本実施形態で説明した視野計１０は、静的視野測定に供されるものであるが、これに限らず、動的視野測定に供されるものにも、本発明を適用することができる。また、本発明は、視野計１０に限らず、それ以外の眼科検査装置にも適用することができる。
【符号の説明】
【００６１】
１０  視野計
１２  ＬＥＤユニット
１２ｂ  ＬＥＤ素子
１８  ＬＥＤ駆動回路
２０  制御回路
１００  映像
１００ａ  視標
１００ｂ  背景
【図１】
2017195347.tif 000003
【図２】
2017195347.tif 000004
【図３】
2017195347.tif 000005
【図４】
2017195347.tif 000006
【図５】
2017195347.tif 000007
【図６】
2017195347.tif 000008
【図７】
2017195347.tif 000009
【図８】
2017195347.tif 000010
【図９】
2017195347.tif 000011
【図１０】
2017195347.tif 000012
【図１１】
2017195347.tif 000013
【図１２】
2017195347.tif 000014
【図１３】
2017195347.tif 000015
【図１４】
2017195347.tif 000016
【図１５】
2017195347.tif 000017
【国際調査報告】
2017195347.tif 000018
2017195347.tif 000019